(57)【要約】フィルタカートリッジアセンブリ(12)と、フィルタカートリッジアセンブリ(12)を組み立てる方法である。フィルタカートリッジアセンブリはスペーサリング(20)により分離された少なくとも2個の軸方向に隣接するフィルタセル(14)と、取付部(34)と、スペーサリングの外周を囲むための、取付部に形成された開口(38)とを有するリフト手段(10)とを備える。リフト手段は中央取付部から半径方向外側へ延び、フィルタカートリッジアセンブリを持ち上げるのを容易にするための握り部(40a,40b)を有する相対向した細長いアーム(32a,32b)を備える。
2004535915.tif 000002
【特許請求の範囲】
【請求項１】
軸方向に隣接するフィルタセル間に設けられたスペーサリングにより分離されている、前記軸方向に隣接する少なくとも２個のフィルタセルを有するフィルタカートリッジアセンブリ用リフト装置であって、前記リフト装置が
a)  前記スペーサリングの外周を囲むように形成された開口を有する中央取付部と、
b)  前記中央取付部から半径方向外側へ延びた相対向した細長いアームと、ここで各アームがフィルタカートリッジを持ち上げるために半径方向外側端に握り部を有し、
を備えたリフト装置。
【請求項２】
前記中央取付部が平面状である、請求項1記載のリフト装置。
【請求項３】
前記中央取付部が前記相対向した細長いアームと一体である、請求項1記載のリフト装置。
【請求項４】
前記握り部が環状リングを有する、請求項1記載のリフト装置。
【請求項５】
前記相対向した細長いアームが平面状である、請求項4記載のリフト装置。
【請求項６】
前記中央取付部の前記開口が前記スペーサリングの前記外周に確実に契合する、請求項1記載のリフト装置。
【請求項７】
前記握り部がベイルを含む、請求項1記載のリフト装置。
【請求項８】
前記相対向した細長いアームの長さが前記中央取付部の前記フィルタカートリッジアセンブリ内の位置に依る、請求項1記載のリフト装置。
【請求項９】
前記中央取付部と前記相対向した細長いアームが打ち抜きプラスチックで作られている、請求項1記載のリフト装置。
【請求項１０】
前記中央取付部と前記相対向した細長いアームが射出成形プラスチックで作られている、請求項1記載のリフト装置。
【請求項１１】
前記中央取付部と前記相対向した細長いアームが1層以上のプラスチック材料で作られている、請求項1記載のリフト装置。
【請求項１２】
前記層が相互に溶着されている、請求項11のリフト装置。
【請求項１３】
前記中央取付部と前記相対向した細長いアームがポリプロピレンで作られている、請求項1記載のリフト装置。
【請求項１４】
a)  濾過のために流体が通過される少なくとも２個のフィルタセルと、前記フィルタセルが、前記フィルタセル内を流体が通過するための前記フィルタセルを貫通する中央開口を有し、ここで前記フィルタセルが、前記フィルタセルの間に設けられたスペーサリングにより軸方向に間隔をおいて配置され、
b)  前記フィルタカートリッジアセンブリをフィルタハウジング内へ及び外へ移動させるために作動可能に前記スペーサリングに関連されたリフト手段と、
を備えたフィルタカートリッジアセンブリ。
【請求項１５】
前記リフト手段が不活性の弾性材料で作られた、請求項14記載のフィルタカートリッジアセンブリ。
【請求項１６】
前記リフト手段がポリプロピレンで作られた、請求項14記載のフィルタカートリッジアセンブリ。
【請求項１７】
前記リフト手段が前記スペーサリングを囲む開口を有する中央取付部と、前記中央取付部から半径方向外側へ延びた前記相対向したアームとを備え、各アームが握り部を有する、請求項14記載のフィルタカートリッジアセンブリ。
【請求項１８】
前記握り部がリング形状である、請求項17記載のフィルタカートリッジアセンブリ。
【請求項１９】
前記取付部と前記相対向したアームとが平面状である、請求項17記載のフィルタカートリッジアセンブリ。
【請求項２０】
前記取付部と前記相対向したアームが1層以上の平面状材料で作られている、請求項17記載のフィルタカートリッジアセンブリ。
【請求項２１】
前記材料が打ち抜きプラスチックである、請求項20記載のフィルタカートリッジアセンブリ。
【請求項２２】
前記リフト手段が2個の独立した部材からなり、各部材が前記スペーサリングを囲む開口を有する取付部と、前記取付部から半径方向外側へ延び、握り部を有するアームとを備えた、請求項14記載のフィルタカートリッジアセンブリ。
【請求項２３】
前記握り部がベイルを含む、請求項22記載のフィルタカートリッジアセンブリ。
【請求項２４】
前記独立した部材が管状である、請求項22記載のフィルタカートリッジアセンブリ。
【請求項２５】
前記独立した部材が射出成形プラスチック材料で作られた、請求項22記載のフィルタカートリッジアセンブリ。
【請求項２６】
前記独立した部材がポリプロピレン作られた、請求項25記載のフィルタカートリッジアセンブリ。
【請求項２７】
a)  少なくとも2個のフィルタセルを軸方向に整合させて配置する工程と、
b)  前記少なくとも2個のフィルタセルの間に隙間を形成するためにスペーサリングを少なくとも2個のフィルタセル間に位置させる工程と、
c)  前記少なくとも2個のフィルタセル間に画成された間隙内にリフト手段を位置させる工程とを
備えたフィルタカートリッジアセンブリを組み立てる方法。
【請求項２８】
前記フィルタカートリッジアセンブリをフィルタハウジング内に位置させる工程を備えた、請求項27記載の方法。
【請求項２９】
リフト手段を装備する工程が、前記スペーサリングを囲む開口を有する中央取付部と、前記中央取付部から半径方向外側へ延びる、握り部を有する前記相対向する細長いアームとを有するリフト手段を備えることを含む、請求項27記載の方法。
【請求項３０】
リフト手段を装備する工程が、握り部を有する2個の細長いアームを有するリフト手段を装備することを含み、ここで前記細長いアームの長さが前記フィルタカートリッジアセンブリのフィルタカートリッジハウジング内の位置に依る、請求項27記載の方法。
【発明の詳細な説明】
【技術分野】
【０００１】
関連出願の相互参照
本出願は、２００１年４月１８日出願の米国仮出願番号６０／２８４，７１８号による利益を享受し、参考のためにこの開示を本明細書中に組み込む。
【背景技術】
【０００２】
１．発明の技術分野
本開示は、流体ろ過装置に関し、特に移送、設置、及びフィルタカートリッジハウジングからのフィルタカートリッジの取り外しを容易にするハンドルを含むレンチキュラフィルタカートリッジに関する。
【０００３】
２．従来技術の背景
セル型フィルタアセンブリは、しばしばレンチキュラフィルタアセンブリと呼ばれ、この技術分野では公知であり、流体処理システムにおいて長年にわたり採用されている。早期の例がベーディングハウス（Boeddinghaus）らに付与された米国特許第２，７８８，９０１号明細書に開示されており、より最近の例はオルセン（Olsen）らに付与された米国特許第５，９６５，０１９号明細書に開示されている。レンチキュラフィルタアセンブリは、軸方向に相互に離間して配置された複数の同心状のろ過セルを備えることが多い。１つ以上のフィルタアセンブリは、円柱形のハウジングに配設することもできる。一般的に、このようなフィルタハウジングは、フィルタの交換及び整備が容易になるように、ハウジング内部にアクセスできる従来の締付け装置で共に固定された構造部分により形成される。
【０００４】
湿潤状態のフィルタカートリッジアセンブリは、フィルタセルの端を掴み、持ち上げて、フィルタハウジングから取り外す。残念なことに、湿潤状態のフィルタセルは掴みにくいことがあり、このような操作によって破損しかねない。持ち上げる力がアセンブリの周囲に作用し、カートリッジの荷重は大部分がアセンブリの中心に向かって作用するため、この持ち上げ操作中にカートリッジが破損する可能性が増大するのである。
【０００５】
取り外し中にフィルタカートリッジアセンブリが破損すると、様々な都合の悪い結果になる。第一に、ろ過された望ましくない物質がフィルタハウジングの流入口もしくは流出口に入りかねない。したがって、担当者が余分な時間を費してハウジングを洗浄しなければならない。更に、ろ過システム全体を洗い流さなければならず、付随する製造工程に余計なダウンタイムを追加することになる。
【０００６】
スウィアテク（Swiatek）らに付与された米国特許第５，４８２，６２４号及び５，６０７，５８４号明細書に開示されているように、交換及び整備作業中にレンチキュラフィルタカートリッジアセンブリを持ち上げたり持ち運んだりする一体型ハンドルを備えることは周知であり、これらの開示は、参考のために本願中にそのまま組み込む。これらのフィルタのハンドルは、カートリッジのいずれかの端部でガスケット押さえリングに取り付けるか、あるいは最上部のフィルタセルの外周を横断して延在するストラップとして備える。どちらの例においても、ハンドルもしくはストラップは、ガスケット押さえとカートリッジハウジングの間の適切な嵌合もしくは封止を妨げる恐れがあり、漏れ口を築いてしまいかねない。
【０００７】
したがって、封止に問題を起こさない一体型ハンドルを有するレンチキュラフィルタカートリッジアセンブリを提供することは有益である。本発明は、これらの問題の解消に専念するだけでなく、おそらく最も重要なこととして、フィルタカートリッジを従来よりも容易且つ安全に取り外す手段を提供する。
【発明の開示】
【発明が解決しようとする課題】
【０００８】
本開示は、同心円上に離間するように配置して相互連結した複数のフィルタセルを含む新規性及び有用性のあるレンチキュラフィルタカートリッジアセンブリと、このカートリッジの移送、設置及び取り外しの容易性を促進するための相互連結したフィルタセルを持ち運ぶ手段を対象とする。しかるべき持ち運び手段は、軸方向に隣り合ったフィルタセル間に配設することになる。
【課題を解決するための手段】
【０００９】
本開示の一実施形態においては、フィルタカートリッジアセンブリを持ち運ぶ手段は、薄く可塑性があり軽量のプラスティック材を型抜きした単体の一体型ハンドル部材を備え、軸方向に隣り合ったフィルタセル間のカートリッジのセンタコア周囲に係合する中央開口部を有し、対向する把持部がこの中央開口部から半径方向外向きに延在する。本開示の他の実施形態においては、カートリッジを持ち運ぶ手段は、一組の射出成形したハンドルを備え、各々が、軸方向に隣り合ったフィルタセル間のカートリッジアセンブリのセンタコアと係合するリング部と、このリング部から延在する把持部を含む。
【００１０】
具体的には、軸方向に隣り合った少なくとも二つのフィルタセルを有し、この軸方向に隣り合ったフィルタセルはフィルタセル間に配設したスペーサリングによって隔てられた、フィルタカートリッジアセンブリ用のリフト装置を開示する。この実施形態では、リフト装置は、中央取付部を含み、この中央取付部は、スペーサリングの外周を取り囲むように形成した開口部とこの中央取付部から半径方向外向きに延在し対向する細長いアームを有する。また、各々のアームは、半径方向外端に、フィルタカートリッジを持ち上げる握り部を含む。この握り部は、環状リングもしくはベイルを含むこともできる。
【００１１】
本開示により構築した装置の他の局面において、中央取付部もしくはアームは、実質的に面状にすることができる。中央取付部はまた、対向する細長いアームと一体に連結することができる。更に、中央取付部内の開口部は、スペーサリングの外周にしっかりと係合するように作製することができる。
【００１２】
本開示により構築した装置の他の実施形態において、対向するアームの長さは、フィルタカートリッジアセンブリにおける中央取付部の位置によって異なる。あるいは、対向するアームの長さは、フィルタカートリッジハウジングにおけるフィルタカートリッジアセンブリの位置によって異なる。
【００１３】
本願中に開示するリフト装置は、型抜きもしくは射出成形したプラスチックから加工することができる。一実施形態においては、ポリプロピレン等のプラスチック材の一つもしくはそれ以上の層を使用する。この層は一つに溶着することができる。
【００１４】
本開示はまた、スペーサリングによって軸方向に離間して配置された少なくとも二つのフィルタセル（ろ過される流体が通過する）と、フィルタカートリッジアセンブリを移動するために動作可能なようにスペーサリングに連結したリフト手段とを備えるフィルタカートリッジアセンブリを対象とする。望ましくは、リフト手段は、ポリプロピレン等の不活性で弾性のある材料から加工される。
【００１５】
前述のフィルタカートリッジアセンブリの一実施形態においては、リフト手段は、スペーサリングを取り囲む開口を有する中央取付部と、この中央取付部から半径方向外向きに延在した対向するアームからなり、各々のアームは握り部を含む。
【００１６】
前述のフィルタカートリッジアセンブリの他の実施形態においては、リフト手段は、二つの独立した部材からなり、各々の部材は、スペーサリングを取り囲む開口を備える取付部と、取付部から外向きに延在した、握り部を有するアームとを有する。
【００１７】
いずれかの実施形態の他の局面において、リフト手段は、面状もしくは管状であってよく、実質的に面状の材料の一つもしくはそれ以上の層から加工することもでき、型抜きもしくは射出成形したプラスチックでもよい。握り部も、リングもしくはベイルにすることができる。
【００１８】
本開示は、フィルタカートリッジアセンブリの構築方法もまた対象とする。この方法の工程は、
少なくとも二つのフィルタセルを軸方向に並ぶように配列し、
この少なくとも二つのフィルタセルの間にスペーサリングを配置し、フィルタセルの間に隙間を形成するようにし、
この少なくとも二つのフィルタセルの間に画成した隙間にリフト手段を配置する工程を含む。
【００１９】
前述の方法は、更に、フィルタアセンブリをフィルタハウジングに配置する工程を含めることもできる。
【００２０】
本開示による一実施形態において、リフト手段を備える工程は更に、スペーサリングを取り囲む開口を備えた中央取付部と、中央取付部から半径方向外側に延在して対向する細長いアームとを有するリフト手段を含み、ここでアームは握り部を含む。
【００２１】
別の実施形態において、リフト手段を備える工程は更に、握り部を備える二つの細長いアームを有するリフト手段を含み、ここでこの細長いアームの長さは、フィルタカートリッジハウジングにおけるフィルタカートリッジアセンブリの位置によって異なる。
【００２２】
本開示及びその使用方法のこうした局面及び他の局面は、次の図面の簡単な説明と、以下に行う詳細な説明を合わせ、当業者にはより容易に明白になる。
【００２３】
詳細な説明
次に示す本開示の好適なもしくは模範的なもしくはその両方である実施形態の詳細な説明は、前記概要及び背景説明の観点に基いてあるいはそれらの状況に基いて記載している。特に明白でない、もしくは明記しない限り、「上に」、「下に」、「左の」、「右の」、「下方に」、「上方に」、「上部の」、「下部の」等の方向指示は、本開示の特定の実施形態で最初に番号を付した図に示される方向性に対応することになる。また、付与した参照番号は、異なる図面に表示される場合には、同一もしくは類似した構造を示唆すると理解されるべきである。
【００２４】
図面を、具体的には図１を参照すると、本開示により構築し、通常は数字１０で参照されるリフト装置（以下、「ハンドル」という）が、フィルタカートリッジフィルタアセンブリ１２に採用されている。フィルタアセンブリ１２は、少なくとも二つのフィルタセル14を含むことができ、一般的には、フィルタセル14と同一構造もしくは実質的に同一構造である複数のフィルタセルで構成することになる。図１及び図４に示すように、フィルタセル14は、同心円上に積み重なってフィルタアセンブリ１２を形成する。各々のフィルタセル14は、円形構造を有するように示してあるが、適当と思われるろ過処理及びフィルタハウジングとの嵌合を実現するためには、形状は適当と思われるいかなる形でもよいと認識されるべきである。
【００２５】
この実施形態において、各々のフィルタセル１４は、上部及び下部ろ過材からなり、参照番号を１６とする。上部及び下部ろ過材１６は、ろ過材１６の内周に沿って配設した多孔スペーサリング１７によって隔てられる。エッジ１８がろ過材１６の外周を完全に囲んで延在し、ろ過材１６を係止する。図１及び図４に記載されるように、スペーサリング２０が、軸方向に隣り合ったフィルタセル１４の間に配設される。スペーサリング２０は、多孔もしくは無孔で、ろ過材１６の内周に接触する。この実施形態では、スペーサリング２０は無孔である。
【００２６】
多孔スペーサリング１７及びスペーサリング２０により、フィルタアセンブリ１２を軸方向に貫通する開口部２２が画成される。望ましくは、開口部２２は、各々のフィルタセル１４のセンタの周囲に位置する。フィルタアセンブリ１２を構築する際、各々のフィルタセル１４の多孔スペーサリング１７と各々のフィルタセル１４の間のスペーサリング２０は、軸方向に並んで開口部２２を形成する。開口部２２は、ろ過ハウジングのセンタマウント２４（詳細は以下に説明する）を受け入れるように、同時に、流体が開口部２２を軸方向に通りセンタマウント２４に沿って流れるように、十分な大きさをもつ。フィルタアセンブリ１２の上部及び下部のフィルタセル１４上に、環状エンドリング２６が、開口部２２と同心円上に配置される。一つもしくはそれ以上のバンド２８が、開口部２２を軸方向に貫通して延在し、上部及び下部両方の環状エンドリング２６に係合して、剛体のフィルタアセンブリ１２形成する。各々のエンドリング２６に配設した環状の凹部に、ガスケット２９を挿入し、とりわけフィルタアセンブリ１２を縦に積み重ねる際の安定を促す。望ましくは、ガスケット２９は、ゴム引き基材等、実質的に不活性で、弾力性及び耐久性を有する材料で構築する。
【００２７】
一般的なろ過システムにおいては、フィルタハウジング３０内で垂直方向に延在するセンタマウント２４の周囲に、一つもしくはそれ以上のフィルタアセンブリ１２を備え付ける。センタマウント２４の一部は、フィルタハウジング３０の出口２９に接続する。ろ過システムの作動中は、入口３１を通じてフィルタハウジング３０内に送り込まれた未ろ過の流体は、ろ過材１６を通過し、多孔スペーサリング１７から開口部２２内へ貫流する。開口部２２に流入した流体は、出口２９を経由してフィルタハウジング３０から流出する。
【００２８】
ハンドル１０は、ろ過システムにおいて一般的に使用される一つもしくはそれ以上のフィルタアセンブリ１２の移送、設置及び取り外しを容易にする。ハンドル１０は、フィルタハウジング３０の通常動作に支障を来さないように（例えば、ガスケット２９の妨げになる等）構成し、フィルタアセンブリ１２と一体して構築してもよいし、あるいは後からフィルタアセンブリ１２上に設置することもできる。図２及び図３に最もよく示されているように、ハンドル１０は、開口３８を画成するアセンブリのサポート部３６を有する取付部３４から延在する、細長いアーム３２ａ及び３２ｂを有する。アーム３２ａ及び３２ｂの対向する端は、手で、あるいは引き上げ機、鉤もしくは他のつかみ手段のような機械装置等を用いてしっかりと把持できるように構成し成形した端部４０ａ及び４０ｂを有する。この実施形態においては、端部４０ａ及び４０ｂは、それぞれリフトサポートリング４２ａ及び４２ｂを有し、開口４４ａ及び４４ｂをそれぞれ画成する。開口４４ａ及び４４ｂによって、リフトサポートリング４２ａ及び４２ｂの把持が容易になり、したがってフィルタアセンブリ１２を持ち上げやすくなる。図１は、例として、人が、フィルタハウジング３０からフィルタアセンブリ１２を矢印４６の方向に持ち上げているところを記載している。リフトサポートリング４２ａ及び４２ｂそれぞれに、よりしっかりとつかめるように開口４４ａ及び４４ｂに指を巻きつける手が示されている。望ましくは、フィルタアセンブリ１２を持ち上げる時、リフトサポートリング４２ａ及び４２ｂ双方に及ぶ力が実質的に同じになるように、アーム３２ａ及び３２ｂは、実質的に同じ大きさである。これにより、リフトサポートリング４２ａ及び４２ｂ双方の開口４４ａ及び４４ｂを通して棒を挿入することによっても、フィルタアセンブリ１２を支持することができるようになる。
【００２９】
ハンドル１０は、取付部３４においてフィルタアセンブリ１２に取り付ける。取付部３４の開口３８は、スペーサリング２０の直径よりも大きくなるようにつくる。あるいは、アセンブリのサポート部３６がスペーサリング２０の外周に接触するように開口３８の寸法をつくってもよい。図４に示すように、いずれの実施形態においても、アセンブリのサポート部３６は、スペーサリング２０の周りに、フィルタアセンブリ１２内で少なくとも一つのフィルタセル１４の下方に配設する。しかし、取付部３４は、フィルタアセンブリ１２の最上部から二つ以上下方のフィルタセル１４と作動可能なように連結してもよい。
【００３０】
ハンドル１０は、湿潤状態のフィルタアセンブリ１２を持ち上げる十分な抗張力をもつ、弾力性があり不活性な材料で、一方で更に、アーム３２ａ及び３２ｂが、フィルタハウジング３０からフィルタアセンブリ１２の持ち上げにあたる操作に必要な可塑性を有する材料で構築する。したがってハンドル１０は、とりわけ、剛体でありながらいくらかの可塑性と耐引裂抵抗を有し、破損防止のため、十分な厚さあるいは層状のプラスチック材で構築するのが望ましい。しかし、ハンドル１０は、より撚鋼線もしくはむく鋼線等、他の物質で構築可能であることも認識されるべきである。
【００３１】
図２に示すように、この実施形態のハンドル１０は、ポリプロピレンの二つの型抜き片１０ａ及び１０ｂで構築する。これらの断片は、熱溶着、超音波溶着、接着剤もしくは他の周知技術によって取り付ける。望ましくは、このポリプロピレンの二つの型抜き片１０ａ及び１０ｂは、リフトサポートリング４２ａ及び４２ｂの先端４８ａ及び４８ｂで相互に取り付ける。型抜き片１０ａ及び１０ｂにより、本質的に一体のハンドル１０となる。
【００３２】
望ましくは、ハンドル１０は、実質的に面状である。しかし、型抜き片１０ａ及び１０ｂ各々の厚さは、約０．２５ｍｍから約１ｍｍ（あるいは、１０ａと１０ｂを統合する場合は、取付部３４のスペーサリング２０の厚さ以下）の範囲でよいが、約０．５ｍｍが望ましい。アーム３２ａ及び３２ｂ各々の縦軸５０から開口３８の中心点までの長さは、約３３ｃｍから約４１ｃｍの範囲でよいが、約３５．５ｃｍが望ましい。理想としては、アーム３２ａ及び３２ｂの長さは、アセンブリ１２のフィルタセル１４の最上部から外へ十分に伸長することにより、フィルタアセンブリ１２を適切に操作できる長さである。認識されるべきことは、アーム３２ａ及び３２ｂは、操業者が手を開口４４ａ及び４４ｂに挿入してフィルタハウジング３０から各々のフィルタアセンブリ１２を持ち上げるのに十分な間隔を、フィルタアセンブリ１２と端部４０ａ及び４０ｂの間に提供することである。
【００３３】
開口３８の直径は、約６．５ｃｍ（スペーサリング２０の直径以上）から約１２．５ｃｍの範囲でよいが、約８．３ｃｍが望ましい。開口４４ａ及び４４ｂの直径は、約３ｃｍから約５ｃｍの範囲でよいが、約３．７５ｃｍが望ましい。アーム３２ａ及び３２ｂの幅Ｗ１は、約５ｃｍから約８ｃｍの範囲でよいが、約６．５ｃｍが望ましい。アセンブリのサポート部３６の幅Ｗ２は、約２．５ｃｍから約５ｃｍの範囲でよいが、約３．５ｃｍが望ましい。リフトサポートリング４２ａ及び４２ｂの幅Ｗ３は、約２．５ｃｍから約５ｃｍの範囲でよいが、約３．２５ｃｍが望ましい。望ましくは、ハンドル１０は、開口３８の中心点を通る縦軸５０及び横軸５２について対称である。
【００３４】
フィルタカートリッジアセンブリを容易に取り外す所期効果を得るため、類似の実施形態を用いてもよいことは言うまでもない。
【００３５】
図５は、他の実施形態を記載し、ハウジング内におけるフィルタカートリッジアセンブリの相対位置によって対向するアームに応じた大きさにつくる。図に示すように、ハウジング３０内において最上位のアセンブリ１１２ａは、アーム１３２ａ及び１３２ｂを備えるハンドル１１０ａを有し、本開示の既述の実施形態に示したものに実質的に類似する。ハウジング３０内においてアセンブリ１１２ａ下方の隣り合う（あるいは「真ん中の」）アセンブリ１１２ｂは、アーム１３２ａ及び１３２ｂよりも大幅に伸長したアーム１３２ｃ及び１３２ｄを備えるハンドル１１０ｂを有する。アーム１３２ｃ及び１３２ｄはその端部１４０ｃ及び１４０ｄが、ハウジング３０内において、アーム１３２ａ及び１３２ｂの端部１４０ａ及び１４０ｂとそれぞれ同じ点まで実質的に到達するように、十分に伸長している。真ん中のアセンブリ１１２ｂの次に隣り合ったアセンブリ１１２ｃ（すなわち、ハウジング３０内においてアセンブリ１１２ｂの下方）は、アーム１３２ｅ及び１３２ｆを備えるハンドル１１０ｃを有し、このアーム１３２ｅ及び１３２ｆは、ハウジング３０内において端部１４０ｅ及び１４０ｆが、アーム端部１４０ａ、１４０ｂ、１４０ｃ及び１４０ｄと同じ点まで実質的に到達するように、十分に伸長している。望ましくは、アーム１３２ａ、１３２ｂ、１３２ｃ、１３２ｄ、１３２ｅ及び１３２ｆは、開口１４４ａ、１４４ｂ、１４４ｃ、１４４ｄ、１４４ｅ及び１４４ｆが並ぶことができるように構成及び製作して、棒、鉤もしくは他の道具を挿入できるようにする。とりわけこの措置が、アセンブリ１１２ａ、１１２ｂ及び１１２ｃを、手もしくは機械装置で同時に持ち上げることを容易にする。当然ながら、三つのフィルタカートリッジアセンブリについての叙述は、本開示による実施形態の特性を説明する記述目的のための一つの例として使用している。この実施形態における概念は、おおよそ同数のフィルタカートリッジアセンブリを使用するろ過システムにも組み込むことができる。
【００３６】
図６は、フィルタアセンブリ１２を持ち上げるもう一つの他のリフト装置を説明し、通常は参照番号２１０で指定する。ハンドル２１０は、独立した、実質的に同一の二つのアーム２３２ａ及び２３２ｂを備える。アーム２３２ａ及び２３２ｂは、スペーサリング２０の周囲に配設したアセンブリサポート部２３６ａ及び２３６ｂとそれぞれ連結している。したがって、サポート部２３６ａ及び２３６ｂの開口２３８ａ及び２３８ｂは、少なくともスペーサリング２０の直径より大きい直径を有する。更に、アセンブリの二つのサポート部２３６ａ及び２３６ｂの厚さの合計は、フィルタアセンブリ１２内において両方ともフィルタセル１４の間に嵌合するために、スペーサリング２０の厚さ以下でなくてはならない。
【００３７】
端部２４０ａ及び２４０ｂは、湾曲した半円形のリフトサポートベイル２４２ａ及び２４２ｂを有し、開口２４４ａ及び２４４ｂをそれぞれ画成する。開口２４４ａ、２４４ｂ及びリフトサポートベイル２４２ａ及び２４２ｂは、とりわけ端部２４０ａ及び２４０ｂのつかみを容易にし、フィルタアセンブリ１２を容易に持ち上げられるようにする。望ましくは、フィルタアセンブリ１２を持ち上げる時、端部２４０ａ及び２４０ｂ双方に及ぶ力が実質的に同じになるように、アーム２３２ａ及び２３２ｂは、実質的に同じ大きさである。
【００３８】
図に示すように、ハンドル２１０の構成部品は全て頑丈な管状形であり、ポリプロピレン等のプラスチック材、あるいは、剛体でありながらいくらかの可塑性があり湿潤状態のフィルタアセンブリ１２の重量を支持するのに必要な抗張力を有する別の材料を、射出成形することによって一体に加工することができる。
【００３９】
したがって、当業者は、本開示によって加工した装置を使用することにより、湿潤状態のフィルタカートリッジアセンブリの取り外しが大幅に容易になることがわかる。本開示による装置を使用することにより、操業者がろ過された流体流や汚染物質に露出する機会が減少するということもまた明確である。
【００４０】
以上の開示に基き、本願中に説明した装置及び方法の使用は、上文に述べた目的を達成するであろうことはここに明確になる。本開示のフィルタカートリッジアセンブリ用リフト装置は、模範的及び好適な実施形態に基いて説明してきたが、添付の請求の範囲に規定される本開示の精神と適用範囲を逸脱しない範囲で変更及び変形が可能であることは、当業者は容易に理解するであろう。例えば、本発明の装置及び方法が、種々に異なるフィルタカートリッジの寸法やハンドルの構成によっても実施できることは、当業者には明確である。
【図面の簡単な説明】
【００４１】
本開示に関する当業者が本開示の製作及び使用法を更に容易に理解するように、図面に基き好適な実施形態を以下に詳細に説明する。
【００４２】
図１は、本開示の実施形態により構築する三つのうち一つのレンチキュラフィルタカートリッジアセンブリをフィルタハウジングから取り外した斜視図で、このフィルタカートリッジアセンブリは、アセンブリをフィルタカートリッジハウジングに搬入及び搬出する面状リフト装置を含む。
【００４３】
図２は、図１の記載と同様の面状リフト装置の斜視図で、本開示の実施形態により相互に固定した二つの層からなる面状リフト装置として示す。
【００４４】
図３は、図２に示す面状リフト装置の上面図である。
【００４５】
図４は、本開示の実施形態により構築したレンチキュラフィルタカートリッジアセンブリを部分的に分解組立図で示す斜視図で、面状リフト装置が、動作可能なようにフィルタカートリッジアセンブリに連結する一方式を示している。
【００４６】
図５は、本開示の他の実施形態により構築する三つのうち一つのレンチキュラフィルタカートリッジアセンブリをフィルタハウジングから取り外した斜視図で、このフィルタカートリッジアセンブリは、アセンブリをフィルタカートリッジハウジングに搬入及び搬出する面状リフト装置を含む。
【００４７】
図６は、本開示の他の実施形態により構築したレンチキュラフィルタカートリッジアセンブリを部分的に分解組立図で示す斜視図で、管状リフト装置が、動作可能なようにフィルタカートリッジアセンブリに連結する一方式を示している。
【国際公開パンフレット】
2004535915.tif 000003
2004535915.tif 000004
2004535915.tif 000005
2004535915.tif 000006
2004535915.tif 000007
2004535915.tif 000008
2004535915.tif 000009
2004535915.tif 000010
2004535915.tif 000011
2004535915.tif 000012
2004535915.tif 000013
2004535915.tif 000014
2004535915.tif 000015
2004535915.tif 000016
2004535915.tif 000017
2004535915.tif 000018
2004535915.tif 000019
2004535915.tif 000020
2004535915.tif 000021
2004535915.tif 000022
2004535915.tif 000023
2004535915.tif 000024
2004535915.tif 000025
2004535915.tif 000026
【国際調査報告】
2004535915.tif 000027
2004535915.tif 000028